(57)【要約】【課題】排出された体液と着用者の肌との接触をより効果的に回避することができる吸収体物品の提供。【解決手段】身体接触パートと身体非接触パートという二つのモジュールにより構成される吸収体物品であって、身体接触パートが、左右一対の頭部と、中央付近に底面を形成し、左右両側に側面を形成するキャナルシートとを有する、キャナル部材と、固定部材とを有し、身体非接触パートが、防漏体と、吸収体とを有し、キャナルシートの上側から前記吸収体の表面に体液を移送する通路が設けられており、少なくとも股下部において、キャナルシートの底面の下側の一部と吸収体の表面の一部又は防漏体の上面の一部とが底面結合部で結合しており、少なくとも股下部において、キャナルシートの左右両側の側面の外側の一部と防漏体の左右側縁部とが側縁結合部で結合している、吸収体物品。【選択図】図１
2015226706.tif 000002
【特許請求の範囲】
【請求項１】
身体接触パートと身体非接触パートという二つのモジュールにより構成される吸収体物品であって、
前記身体接触パートが、
前後方向に延在し、少なくとも一部に伸縮性を有する左右一対の頭部と、前記左右一対の頭部に左右両縁が結合し、中央部が着用時に下側に凸型に垂れ下がり、中央付近に底面を形成し、左右両側に側面を形成するキャナルシートとを有する、キャナル部材と、
着用時に、前記キャナル部材の前記頭部が着用者の肌に接触するように、前記キャナル部材を着用者の身体に固定する、固定部材と
を有し、
前記身体非接触パートが、
体液の漏れを防ぐシート状の防漏体と、
前記防漏体の上側に配置された体液を吸収しうる吸収体と
を有し、
前記キャナルシートの上側から前記吸収体の表面に体液を移送する通路が設けられており、
少なくとも股下部において、前記キャナルシートの底面の下側の一部と前記吸収体の表面の一部又は前記防漏体の上面の一部とが底面結合部で結合しており、
少なくとも股下部において、前記キャナルシートの左右両側の前記側面の外側の一部と前記防漏体の左右側縁部とが側縁結合部で結合しており、
着用者が体液を排出した場合、排出された体液が、前記キャナルシートの上側に受容され、その後、前後方向に移動しつつ、前記キャナルシートの上側から前記通路を通じて前記吸収体の表面に移送される、吸収体物品。
【請求項２】
前記底面結合部が、股下部を含む領域において、帯状に前後方向に延在する、請求項１に記載の吸収体物品。
【請求項３】
前記側縁結合部が、股下部を含む領域において、帯状に前後方向に延在する、請求項１又は２に記載の吸収体物品。
【請求項４】
前記側縁結合部が、前記防漏体の左右側縁部のほぼ全縁にわたってスポット状に存在する、請求項１又は２に記載の吸収体物品。
【請求項５】
前記キャナルシートの外面と前記防漏体の前端部とが、左右方向に延在する前端接合部で結合している、請求項１〜４のいずれかに記載の吸収体物品。
【請求項６】
前記防漏体の前記前端部を前記吸収体の上表面の一部を被覆するように後方に向かって折り返し、折り返し部の左右側縁の防漏体の重なり部分を結合し、前記身体非接触パートの前部に前方ポケット部を形成し、前記防漏体の折り返し部の上面と前記キャナルシートの外面とを前端接合部で結合している、請求項５に記載の吸収体物品。
【請求項７】
前記キャナルシートの外面と前記防漏体の後端部とが、左右方向に延在する後端接合部で結合している、請求項１〜６のいずれかに記載の吸収体物品。
【請求項８】
前記防漏体の前記後端部を前記吸収体の上表面の一部を被覆するように前方に向かって折り返し、折り返し部の左右側縁の防漏体の重なり部分を結合し、前記身体非接触パートの後部に後方ポケット部を形成し、前記防漏体の折り返し部の上面と前記キャナルシートの外面とを後端接合部で結合している、請求項７に記載の吸収体物品。
【請求項９】
前記固定部材が前身頃を被覆する前方被覆部と後身頃を被覆する後方被覆部とを有する、請求項１〜８のいずれかに記載の吸収体物品。
【請求項１０】
前記前方被覆部と前記後方被覆部とを着脱可能に結合させる着脱部材を有する、請求項９に記載の吸収体物品。
【請求項１１】
前記前方被覆部と前記後方被覆部とが一体化し、着用時に、着用者の腹部の周囲を被覆する、請求項９に記載の吸収体物品。
【請求項１２】
前記前方被覆部の下面と前記防漏体の前端部とが、左右方向に延在する身体非接触パート−前端結合部で結合している、請求項９〜１１のいずれかに記載の吸収体物品。
【請求項１３】
前記前方被覆部の下面により前記吸収体の前部が被覆され、前記吸収体の上面と前記前方被覆部の下面との間に前方ポケット部を有する、請求項１２に記載の吸収体物品。
【請求項１４】
前記後方被覆部の下面により前記吸収体の後部が被覆され、前記吸収体の上面と前記後方被覆部の下面との間に後方ポケット部を有する、請求項１２又は１３に記載の吸収体物品。
【請求項１５】
前記防漏体の左右方向の幅が、前記キャナルシートの左右方向の幅より広く、これにより、前記キャナルシートと前記吸収体の表面との間に空隙を存在させる、請求項１〜１４のいずれかに記載の吸収体物品。
【請求項１６】
上側に吸収体が存在しない前記防漏体の左右側縁部の幅を広げて幅広側縁部とし、そこに前記側縁結合部を設けることにより、前記キャナルシートと前記吸収体の表面との間に空隙を存在させる、請求項１５に記載の吸収体物品。
【請求項１７】
前記防漏体上に、前記吸収体の存在する部分と、前記吸収体が存在せず、前記防漏体の表面が露出している部分とが存在する、請求項１〜１６のいずれかに記載の吸収体物品。
【請求項１８】
前記吸収体が、厚い部分と薄い部分とを有する、請求項１〜１７のいずれかに記載の吸収体物品。
【請求項１９】
前記防漏体が、着用時に、少なくとも股下部において、下側に凸状の形状となる、請求項１〜１８のいずれかに記載の吸収体物品。
【請求項２０】
請求項１〜１９のいずれかに記載の吸収体物品を製造する、吸収体物品の製造方法であって、
前記身体接触パート及び前記身体非接触パートをそれぞれ形成する工程と、
その後、前記身体接触パートと前記身体非接触パートとを結合させる工程と
を有する、吸収体物品の製造方法。
【発明の詳細な説明】
【技術分野】
【０００１】
本発明は、吸収体物品及びその製造方法に関する。
【背景技術】
【０００２】
吸収体物品は、おむつ（子供用及び大人用おむつ）、生理用ナプキン、失禁対策商品、トレーニングパンツ等の着用者から排出された体液を、高吸収性樹脂（以下「ＳＡＰ」ともいう。）やフラッフ状にした木材パルプ等を用いた吸収体により、吸収し、処理する物品である。
【０００３】
従来の吸収体物品においては、体液は、着用者の排出器から直接に吸収体の表面に排出され、吸収体の表面における拡散と吸収体の表面から内部への移行とにより、吸収体に吸収され、処理される。
したがって、吸収体物品からその外部への体液のリーク（漏れ）を防ぐためには、吸収体物品と着用者の身体との間に間隙が生じないように、吸収体の表面と着用者の肌、特に、排出器とを密着させることが必要であった。
しかしながら、このような状態で吸収体物品を使用すると、体液の排出後には、着用者の肌が体液で濡れている吸収体の表面に密着した状態となる。着用者の肌が体液に接触している状態が長時間続くと、着用者にとって不快であるだけでなく、皮膚を膨化させ、細菌増殖の原因となり、かぶれや炎症を引き起こす事態を招くことにもなるという問題点があった。
【０００４】
本発明者は、このような従来の吸収体物品の問題点を解決するための新しい提案として、吸収体、特に、着用者の排泄器に相当する位置であるクロッチ部（股下部）に体液を直接に移行させないように、吸収体の前後に体液の移動、分配を可能にするユニットを吸収体の表面と着用者の肌との間に新たに導入することにより、排出された体液と着用者の肌との接触を効果的に回避する手法を提案した。
特許文献１においては、前記ユニットは、フローティングレッグギャザー（ＦＬＧ）として提案されている。特許文献２においては、前記ユニットは、体液の移動通路として提案されている。特許文献３においては、前記ユニットは、体液の受容キャナルとして提案されている。これらの提案に係るユニットは、いずれも、左右一対の頭部と左右一対の頭部に結合されて、垂下する垂下部とを持ち、左右一対の頭部のみが着用者の肌に接触する点で共通するものである。
【先行技術文献】
【特許文献】
【０００５】
【特許文献１】特許第５０８６４９２号公報
【特許文献２】特許第５２３６１２１号公報
【特許文献３】特許第５２３６１２２号公報
【発明の概要】
【発明が解決しようとする課題】
【０００６】
本発明者は、特許文献１〜３に記載された、各種のユニットを有する吸収体物品の研究を進めたところ、着用時においてユニットの立体構造をより安定的に存在させ、ひいては排出された体液と着用者の肌との接触をより効果的に回避することができるのではないかと考えた。
【課題を解決するための手段】
【０００７】
本発明者は、吸収体物品を、吸収体を有しない「身体接触パート」と、吸収体を有する「身体非接触パート」との二つの主な構成要素にモジュール化すること等により、ユニットの立体構造をより安定的に存在させ、ひいては排出された体液と着用者の肌との接触をより効果的に回避することができること、構造を簡略化することができること、同時に製造プロセスをも大幅に簡略化することができることを見出し、本発明を完成させた。
【０００８】
すなわち、本発明は、以下の（１）〜（４０）を提供する。
（１）身体接触パートと身体非接触パートという二つのモジュールにより構成される吸収体物品であって、
前記身体接触パートが、
前後方向に延在し、少なくとも一部に伸縮性を有する左右一対の頭部と、前記左右一対の頭部に左右両縁が結合し、中央部が着用時に下側に凸型に垂れ下がり、中央付近に底面を形成し、左右両側に側面を形成するキャナルシートとを有する、キャナル部材と、
着用時に、前記キャナル部材の前記頭部が着用者の肌に接触するように、前記キャナル部材を着用者の身体に固定する、固定部材と
を有し、
前記身体非接触パートが、
体液の漏れを防ぐシート状の防漏体と、
前記防漏体の上側に配置された体液を吸収しうる吸収体と
を有し、
前記キャナルシートの上側から前記吸収体の表面に体液を移送する通路が設けられており、
少なくとも股下部において、前記キャナルシートの底面の下側の一部と前記吸収体の表面の一部又は前記防漏体の上面の一部とが底面結合部で結合しており、
少なくとも股下部において、前記キャナルシートの左右両側の前記側面の外側の一部と前記防漏体の左右側縁部とが側縁結合部で結合しており、
着用者が体液を排出した場合、排出された体液が、前記キャナルシートの上側に受容され、その後、前後方向に移動しつつ、前記キャナルシートの上側から前記通路を通じて前記吸収体の表面に移送される、吸収体物品。
（２）前記底面結合部が、股下部を含む領域において、帯状に前後方向に延在する、上記（１）に記載の吸収体物品。
（３）前記側縁結合部が、股下部を含む領域において、帯状に前後方向に延在する、上記（１）又は（２）に記載の吸収体物品。
（４）前記側縁結合部が、前記防漏体の左右側縁部のほぼ全縁にわたってスポット状に存在する、上記（１）又は（２）に記載の吸収体物品。
（５）前記キャナルシートの外面と前記防漏体の前端部とが、左右方向に延在する前端接合部で結合している、上記（１）〜（４）のいずれかに記載の吸収体物品。
（６）前記防漏体の前記前端部を前記吸収体の上表面の一部を被覆するように後方に向かって折り返し、折り返し部の左右側縁の防漏体の重なり部分を結合し、前記身体非接触パートの前部に前方ポケット部を形成し、前記防漏体の折り返し部の上面と前記キャナルシートの外面とを前端接合部で結合している、上記（５）に記載の吸収体物品。
（７）前記キャナルシートの外面と前記防漏体の後端部とが、左右方向に延在する後端接合部で結合している、上記（１）〜（６）のいずれかに記載の吸収体物品。
（８）前記防漏体の前記後端部を前記吸収体の上表面の一部を被覆するように前方に向かって折り返し、折り返し部の左右側縁の防漏体の重なり部分を結合し、前記身体非接触パートの後部に後方ポケット部を形成し、前記防漏体の折り返し部の上面と前記キャナルシートの外面とを後端接合部で結合している、上記（７）に記載の吸収体物品。
（９）前記固定部材が前身頃を被覆する前方被覆部と後身頃を被覆する後方被覆部とを有する、上記（１）〜（８）のいずれかに記載の吸収体物品。
（１０）前記前方被覆部と前記後方被覆部とを着脱可能に結合させる着脱部材を有する、上記（９）に記載の吸収体物品。
（１１）前記前方被覆部と前記後方被覆部とが一体化し、着用時に、着用者の腹部の周囲を被覆する、上記（９）に記載の吸収体物品。
（１２）前記前方被覆部の下面と前記防漏体の前端部とが、左右方向に延在する身体非接触パート−前端結合部で結合している、上記（９）〜（１１）のいずれかに記載の吸収体物品。
（１３）前記前方被覆部の下面により前記吸収体の前部が被覆され、前記吸収体の上面と前記前方被覆部の下面との間に前方ポケット部を有する、上記（１２）に記載の吸収体物品。
（１４）前記防漏体の前記前端部を前記吸収体の上表面の一部を被覆するように後方に向かって折り返し、折り返し部の左右側縁の防漏体の重なり部分を結合し、前記身体非接触パートの前部にポケットを形成し、前記防漏体の折り返し部の上面と前記前方被覆部の下面とを前端接合部で結合している、上記（１３）に記載の吸収体物品。
（１５）前記後方被覆部の下面と前記防漏体の後端部とが、左右方向に延在する身体非接触パート−後端結合部で結合している、上記（９）〜（１４）のいずれかに記載の吸収体物品。
（１６）前記後方被覆部の下面により前記吸収体の後部が被覆され、前記吸収体の上面と前記後方被覆部の下面との間に後方ポケット部を有する、上記（１２）〜（１５）のいずれかに記載の吸収体物品。
（１７）前記防漏体の前記後端部を前記吸収体の上表面の一部を被覆するように前方に向かって折り返し、折り返し部の左右側縁の防漏体の重なり部分を接合し、前記身体非接触パートの後方にポケットを形成し、前記防漏体の折り返し部の上面と前記後方被覆部の下面とを後端結合部で結合している、上記（１６）に記載の吸収体物品。
（１８）前記防漏体の左右方向の幅が、前記キャナルシートの左右方向の幅より広く、これにより、前記キャナルシートと前記吸収体の表面との間に空隙を存在させる、上記（１）〜（１１）のいずれかに記載の吸収体物品。
（１９）上側に吸収体が存在しない前記防漏体の左右側縁部の幅を広げて幅広側縁部とし、そこに前記側縁結合部を設けることにより、前記キャナルシートと前記吸収体の表面との間に空隙を存在させる、上記（１８）に記載の吸収体物品。
（２０）左右の前記幅広側縁部を前記吸収体の上表面の一部を被覆するように、左右から幅方向の中心に向かって、左右が対向するように、折り返し、上下端部の防漏体の重なり部分を接合し、折り返した側縁部の上面に前記側縁結合部を設けることにより、前記キャナルシートと前記吸収体の表面との間に空隙を存在させる、上記（１９）に記載の吸収体物品。
（２１）左右の前記幅広側縁部を前記吸収体の左右方向の表面全体を被覆するように、左右から幅方向の中心に向かって、左右が対向するように、折り返して、中央部に開口を持つ、左右ポケット部を形成させ、折り返した側縁部の上面に前記側縁結合部を設けることにより、前記キャナルシートと前記吸収体の表面との間に空隙を存在させる、上記（１９）に記載の吸収体物品。
（２２）前記キャナルシートの少なくとも一部が液不透過性である、上記（１）〜（２１）のいずれかに記載の吸収体物品。
（２３）前記固定部材の少なくとも一部が液不透過性である、上記（１）〜（２２）のいずれかに記載の吸収体物品。
（２４）前記通路が、少なくとも前記キャナルシートの底面の一部に設けられている、上記（１）〜（２３）のいずれかに記載の吸収体物品。
（２５）前記通路が、少なくとも前記キャナルシートの左右側面の一部に設けられている、上記（１）〜（２４）のいずれかに記載の吸収体物品。
（２６）前記通路が、少なくとも前記キャナルシートの底面から左右側面に延展して設けられている、上記（１）〜（２５）のいずれかに記載の吸収体物品。
（２７）前記防漏体上に、前記吸収体の存在する部分と、前記吸収体が存在せず、前記防漏体の表面が露出している部分とが存在する、上記（１）〜（２６）のいずれかに記載の吸収体物品。
（２８）前記防漏体上の左右方向の中央部に、前記吸収体が存在せず、前記防漏体の表面が露出している部分があり、その左右に前記吸収体が存在する部分がある、上記（２７）に記載の吸収体物品。
（２９）前記防漏体上の前後方向の中央部に、前記吸収体が存在せず、前記防漏体の表面が露出している部分があり、その前後に前記吸収体が存在する部分がある、上記（２７）に記載の吸収体物品。
（３０）前記吸収体が、厚い部分と薄い部分とを有する、上記（１）〜（２９）のいずれかに記載の吸収体物品。
（３１）前記吸収体が、左右方向に厚い部分と薄い部分とを有する、上記（３０）に記載の吸収体物品。
（３２）前記吸収体が、左右方向の中央部位に薄い部分を有し、その左右に厚い部分を有する、上記（３１）に記載の吸収体物品。
（３３）前記吸収体が、前後方向に厚い部分と薄い部分とを有する、上記（３０）に記載の吸収体物品。
（３４）前記吸収体が、前後方向の中央部に薄い部分を有し、その前後に厚い部分を有する、上記（３３）に記載の吸収体物品。
（３５）前記吸収体が、高吸収性樹脂を５０質量％以上含有するシート状吸収体である、上記（１）〜（３４）のいずれかに記載の吸収体物品。
（３６）左右方向において、吸収体が存在する部分と存在しない部分とが交互に存在する、上記（３５）に記載の吸収体物品。
（３７）前後方向において、吸収体が存在する部分と存在しない部分とが交互に存在する、上記（３５）に記載の吸収体物品。
（３８）前記防漏体の左右縁部に、その前後方向の長さを縮める作用を奏する伸縮部材を有する、上記（１）〜（３７）のいずれかに記載の吸収体物品。
（３９）前記防漏体が、着用時に、少なくとも股下部において、下側に凸状の形状となる、上記（１）〜（３８）のいずれかに記載の吸収体物品。
（４０）上記（１）〜（３９）のいずれかに記載の吸収体物品を製造する、吸収体物品の製造方法であって、
前記身体接触パート及び前記身体非接触パートをそれぞれ形成する工程と、
その後、前記身体接触パートと前記身体非接触パートとを結合させる工程と
を有する、吸収体物品の製造方法。
【発明の効果】
【０００９】
本発明の吸収体物品は、排出された体液と着用者の肌との接触を効果的に回避することができる。
【図面の簡単な説明】
【００１０】
【図１】本発明の吸収体物品の実施態様の例を示す模式図である。
【図２】テープ型おむつの態様である本発明の吸収体物品におけるＳパートの例を示す模式図である。
【図３】Ｓパートの構成方法をパンツ型おむつを例に模式的に説明した説明図である。
【図４】種々のＲパートを示す模式図である。
【図５】種々のＲパートを示す模式図である。
【図６】種々のＲパートを示す模式図である。
【図７】種々のＲパートを示す模式図である。
【図８】種々のＲパートを示す模式図である。
【図９】種々のＲパートを示す模式図である。
【図１０】種々の本発明の吸収体物品を示す股下部Ｃにおける模式的な横端面図である。
【図１１】本発明の吸収体物品の実施態様の別の例を示す模式図である。
【図１２】本発明の吸収体物品の実施態様の更に別の例を示す模式図である。
【符号の説明】
【００１１】
１０、１０ａ、１０ｂ、１０ｃ、１０ｄ、１０ｅ  頭部
１２、１２ａ、１２ｂ、１２ｃ、１２ｄ、１２ｅ  キャナルシート
１４、１４ａ、１４ｂ、１４ｃ、１４ｄ、１４ｅ  キャナル部材
１６、１６ａ  被覆部
１７、１７ａ、１７ｂ、１７ｃ、１７ｄ  前方被覆部
１８  被覆部接合部
１９、１９ａ、１９ｂ、１９ｃ、１９ｄ  後方被覆部
２０、２０ａ  着脱部材
２２、２２ａ、２２ｂ、２２ｃ、２２ｄ、２２ｅ、２２ｆ  防漏体
２４、２４ａ、２４ｂ、２４ｃ、２４ｄ、２４ｅ、２４ｆ、２４ｇ、２４ｈ、２４ｉ、２４ｊ、２４ｋ、２４ｌ、２４ｍ  吸収体
２６、２６ａ、２６ｂ、２６ｃ、２６ｄ、２６ｅ  側縁結合部
２８  前端接合部
３０  後端接合部
３２、３２ａ、３２ｂ、３２ｃ、３２ｄ、３２ｅ  底面結合部
３４  キャナル底面部
３６  キャナル左側面部
３８  キャナル右側面部
４０、４０ａ、４０ｂ、４０ｃ、４０ｄ  サーフェスシート
４２  プレスライン
４４、４４ａ  左右ポケット部
４６、５２、５４  開口
４８、４８ａ  前方ポケット部
５０、５０ａ  後方ポケット部
５６  伸縮部材
５８  拡散シート
６０、６０ａ  キャナル部−前端結合部
６２、６２ａ  キャナル部−後端結合部
６４、６４ａ  身体非接触パート（Ｒパート）−前端結合部
６６、６６ａ  身体非接触パート（Ｒパート）−後端結合部
６８  ウエストギャザー
７０  シャーリングギャザー
１００、１００ａ、１００ｂ、１００ｃ、１０１、１０２  吸収体物品
Ｃ  股下部
Ｆ  前身頃
Ｒ  後身頃
ＲＰ  身体非接触パート
Ｓ  空隙
ＳＰ  身体接触パート
Ｚ、Ｚ’  腰部シール部
【発明を実施するための形態】
【００１２】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の身体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「モジュール」とは、「製品、製造プロセス、機械装置などのシステムを構成する部分で、機能的にまとまった部分」を意味し、「身体接触パート」は、キャナル部材と固定部材とをその構成要素とし、吸収体物品の着用時に、着用者の皮膚の表面に接触して機能を発揮するモジュールである。「身体非接触パート」は、防漏体と吸収体とをその構成要素とし、吸収体物品の着用時に、着用者の皮膚の表面に接触しない状態で機能を発揮するモジュールである。「身体接触パート」（「Ｓｋｉｎ−ｃｏｎｔａｃｔ  Ｐａｒｔ」）は、「Ｓパート」ともいう。「身体非接触パート」（「Ｒｅｍｏｔｅ  Ｐａｒｔ」）は、「Ｒパート」ともいう。
さらに、本明細書においては、「吸収体の表面」とは、吸収体が露出している場合は、その表面を意味し、吸収体が拡散シート、アクイジションシート、サーフェスシート（トップシートとも呼ばれる。）、コアラップシート等で被覆されている場合は、被覆している拡散シート、アクイジションシート、サーフェスシート、コアラップシート等の表面を意味する。
さらに、本明細書においては、「防漏体の表面」とは、防漏体が露出している場合は、その表面を意味し、防漏体がサーフェスシート、コアラップシート等で被覆されている場合は、被覆しているサーフェスシート、コアラップシート等の表面を意味する。
【００１３】
図１は、本発明の吸収体物品の実施態様の例を示す模式図である。具体的には、図１は、Ｓパート（ＳＰ）とＲパート（ＲＰ）とを有し、ＳパートがＳパートの底面と側縁の一部とでＲパートに結合し、一体化されている子供用テープ型おむつを示している。
図１（Ａ）は、テープ型おむつの態様である吸収体物品に応力を加えて前後方向及び左右方向に引っ張って展開し、ほぼ平面状にした状態（緊張状態）を模式的に示した平面展開図である。図１（Ｂ）は、前記の状態の図１（Ａ）中のＩＢ−ＩＢ線に沿った横端面図である。図１（Ｃ）は、吸収体物品に応力を加えない場合の（弛緩状態の）図１（Ａ）中のＩＢ−ＩＢ線に沿った横端面図である。なお、以下の説明において、各部材の材料は、例示である。
図１に示される本発明の吸収体物品１００は、テープ型おむつとして構成されており、基本的に、前後方向に延在し、少なくとも一部に伸縮性を有する左右一対の頭部１０と、左右一対の頭部１０に左右両縁が結合し、中央部が着用時に下側に凸型に垂れ下がり、中央付近に底面を形成し、左右両側に側面を形成するキャナルシート１２とを有する、キャナル部材１４と、着用時に、キャナル部材１４の頭部１０が着用者の肌に接触するように、キャナル部材１４を着用者の身体に固定する、固定部材とを有する、Ｓパートと；体液の漏れを防ぐシート状の防漏体２２と、防漏体２２の上側に配置された体液を吸収しうる吸収体２４とを有する、Ｒパートとを具備する。
【００１４】
図１（Ａ）に示される吸収体物品１００においては、不織布（液不透過性のＰＰ製ＳＭＳ不織布、目付量１５ｇ／ｍ2）からなる左右一対の被覆部１６に、中央にキャナル部材１４を被覆部接合部１８で接合してＳパートを構成している。Ｓパートを構成する身体への固定部材となる前方被覆部１７は、左右の不織布とキャナル部材１４の前端部とから構成されている。同様に固定部材となる後方被覆部１９は、左右の不織布とキャナル部材の後端部とから構成され、その両縁に着脱部材２０を備えている。このように、固定部材が前身頃を被覆する前方被覆部と後身頃を被覆する後方被覆部とを有するのは、本発明の好ましい態様の一つである。また、その場合に、前方被覆部と後方被覆部とを着脱可能に結合させる着脱部材を有するのは、本発明の好ましい態様の一つである。さらに、固定部材の少なくとも一部が液不透過性であるのが、本発明の好ましい態様の一つである。
キャナル部材１４は、伸縮性を有する左右一対の頭部（７８０ｄｔｅｘのポリウレタンフィラメントを２本並列に配置して、後述するキャナルシートと同じ不織布で被覆したもの）１０と、その左右一対の頭部１０に左右両縁を結合して中央部分を構成するキャナルシート（表面を親水化処理したＰＰ／ＰＥスパンボンド不織布）１２とを有してなり、そのキャナルシート１２の下面（図１（Ｃ）に示されるように、キャナルシート１２は、下側に凸型に垂れ下がる形状であるので、以下、外面ともいう。）にＲパートが接合されている。
キャナルシートの少なくとも一部が液不透過性であるのが、本発明の好ましい態様の一つである。
【００１５】
Ｒパートは、シート状の防漏体（通気性の１５μｍのＰＥフィルムにＰＰ製の１３ｇ／ｍ2のＳＭＳ不織布を積層したもの）２２と、その上側に配置された吸収体（幅４０ｍｍのＳＡＰ／パルプ混合シートをコアラップシートとしてティッシュペーパーを用いて上下を被覆したものを、中央に１５ｍｍの間隔を置いて左右に配置したもの（中央部においては防漏体が露出している。））とから構成されている。
本発明においては、防漏体上に、吸収体の存在する部分と、吸収体が存在せず、防漏体の表面が露出している部分とが存在するのが好ましい態様の一つである。この場合、防漏体上の左右方向の中央部に、吸収体が存在せず、防漏体の表面が露出している部分があり、その左右に吸収体が存在する部分があるのが好ましい態様の一つであり（図４（Ｅ）及び図４（Ｆ）参照）、また、防漏体上の前後方向の中央部に、吸収体が存在せず、防漏体の表面が露出している部分があり、その前後に吸収体が存在する部分があるのも好ましい態様の一つである（図４（Ｃ）及び図４（Ｄ）参照）。
【００１６】
Ｓパートのキャナルシート１２の下面とＲパートの防漏体２２とは、左右側縁部は側縁結合部２６によって、前後端部は前端接合部２８及び後端接合部３０によって、左右方向の中央部は底面結合部３２によって、それぞれ結合している。
前端接合部２８及び後端接合部３０は、帯状に左右方向の全長にわたってシールされている。本発明においては、この態様のように、キャナルシートの外面と防漏体の前端部とが、左右方向に延在する前端接合部で結合しているのが好ましい態様の一つであり、また、キャナルシートの外面と防漏体の後端部とが、左右方向に延在する後端接合部で結合しているのが好ましい態様の一つである。
側縁結合部２６は、股下部Ｃで長く、前身頃Ｆと後身頃Ｒでは短く、前後部では前端及び後端に接続した部分的な線状部分として存在し、キャナルシートの動きを拘束しないようにされている。本発明は、側縁結合部の態様をこれに限定されず、側縁結合部が、股下部を含む領域において、帯状に前後方向に延在する態様、及び、側縁結合部が、防漏体の左右側縁部のほぼ全縁にわたってスポット状に存在する態様も好適に用いられる。
底面結合部３２は、左右方向の中央部の股下部Ｃの防漏体２２の露出部に帯状に前後に延在する。本発明においては、この態様のように、底面結合部が、股下部を含む領域において、帯状に前後方向に延在するのが好ましい。
【００１７】
図１（Ｂ）の股下部Ｃにおける横端面図に示されるように、キャナルシート１２と伸縮性の頭部１０とからなるキャナル部材１４は、その下面に防漏体２２と吸収体２４とからなるＲパートを接合して一体化している。すなわち、キャナルシート１２の左右の外側面と防漏体の左右の側縁とが側縁結合部２６で、キャナルシート１２の左右方向の中央部と防漏体２２の中央の露出部とが底面結合部３２で接合されている。なお、この例では、ＳパートとＲパートの前後方向の配置を見ると、Ｓパートのキャナルシート１２は吸収体物品１００の全長にわたって配置され、前後部は被覆部の一部として利用される。一方、Ｒパートの防漏体２２は、前後方向において、キャナルシート１２より短く配置されている。
【００１８】
図１（Ｃ）は、図１（Ｂ）を弛緩した時の横端面図であり、特に、キャナル部材１４とＲパートとの接合状態が立体的に示されている。
キャナルシート１２は、緊張が緩和された状態では、中央部に垂れ下がり、とくに股下部Ｃではキャナルの深さが大きくなり、Ｕ字型の立体形状を呈する。この股下部Ｃでは、キャナルシート１２の左右の外側面と防漏体２２の左右の側縁とが側縁結合部２６で結合され、防漏体２２により把持された吸収体２４によりキャナルシート１２の外側面が物理的に補強された状態になり、Ｕ字型の立体形状の安定化に寄与する。キャナルシート１２の底面の左右方向の中央部の下面と、可撓性のある防漏体２２の中央の露出部の上面とは、底面結合部３２で接合され、キャナルシート１２のＵ字型の立体形状に寄り添う構造を形成する。
このような立体形状を安定に保つことにより、着用時には伸縮弾性を持つ左右の頭部１０のみが着用者の肌に接触する。この構造により、着用者の肌は、吸収体２４の表面とはキャナルシート１２で隔離され、直接接触することはない。
【００１９】
吸収体物品１００においては、着用者から排出された体液は、左右一対の頭部１０間の開口からキャナル部の内側に排出されてキャナルシート１２の上側に受容され、その後、キャナル部内を前後方向に移動しつつ、キャナルシート１２の上側からキャナルシート１２を構成する不織布の微小開口により構成される通路を通じて吸収体２４の表面上の広い範囲に移送される。
この体液の受容及び移動は、キャナル部が安定的に存在するため、極めて円滑に行われる。
前記通路が、少なくとも前記キャナルシートの底面の一部に設けられているのが、本発明の好ましい態様の一つである。また、前記通路が、少なくとも前記キャナルシートの左右側面の一部に設けられているのが、本発明の好ましい態様の一つである。さらに、前記通路が、少なくとも前記キャナルシートの底面から左右側面に延展して設けられているのが、本発明の好ましい態様の一つである。
【００２０】
特許文献１〜３に記載の吸収体物品においては、吸収体とＦＬＧ等とが一体化されており、主に吸収体によるＦＬＧ等の部位への物理的拘束が存在しており、立体構造の安定化の障害となっているが、本発明においては、Ｒパートの主要要素である吸収体をＳパートから分離した別体の構造とすることにより、主として吸収体に起因する物理的拘束を大幅に削減し、それによりキャナル部材の持つ立体構造を維持しやすくし、体液の受容、移動及び吸収体の表面への移送というキャナル特有の効果を発揮することができる。
また、本発明の吸収体物品においては、Ｓパートのキャナルシートの底面とＲパートの吸収体の表面又は防漏体の表面との底面結合部が存在することによって、吸収体の重量がキャナル部材を下に引っ張るように働かせ、キャナル部材全体のへたりや変形を少なくし、特に、股下部でＶ字形又はＵ字形の立体形状を保ちやすい。
さらに、本発明の吸収体物品においては、Ｓパートのキャナルシートの左右側面とＲパートの防漏体の側縁との側縁結合部が存在することによって、キャナル部材とキャナル形状になじむように変形した吸収体との一体化を進め、吸収体がいわばキャナル部材の一部のようになる。これにより、股下部において、立体形状の保持がより確実になる。
【００２１】
さらに、本発明においては、ＳパートとＲパートとを別体とすることにより、吸収体、防漏体等の構成、大きさ、形状等を、比較的自由に設計することができる。このため、製品の多様化が容易になる。
従来の吸収体物品においては、吸収体の長さや幅は、吸収体物品の前後方向の長さ及び左右方向の幅の範囲内で設計される必要があった。
本発明においては、例えば、左右方向に関しては、キャナルシートの幅より防漏体の幅を広くすることによって、キャナルシートの側面の一部と吸収体の表面との間に空隙を作り、その空間を利用して第二の体液移動通路をキャナルの外側の左右に形成することもできる。防漏体の長さに関しては、股下部に相当する長さまで短くすることもできるし、逆にキャナルシートの前後端部を超えて、ウエストバンドの近傍まで長くすることもできる。
【００２２】
さらに、本発明においては、吸収体物品をＳパート及びＲパートという二つのモジュールにより構成することにより、構造そのものが簡易になり、部材の数や種類の削減や、減量が可能になり、さらに製造コストが安価になる。さらに、このモジュール化により製造プロセスが二つのモジュールを組み合わせる方式に変更されるため、プロセスが簡単になり、投資コストが減少すると同時に生産性も大幅に向上させることができる。
【００２３】
以下、Ｓパート及びＲパートについて、詳細に説明する。
【００２４】
１．Ｓパートの全体構成及び存在状態
図２は、テープ型おむつの態様である本発明の吸収体物品におけるＳパートの例を示す模式図である。図２（Ａ）は、Ｓパートに応力を加えて前後方向及び左右方向に引っ張って展開し、ほぼ平面状にした状態（緊張状態）を模式的に示した平面展開図である。図２（Ｂ）は、緊張状態の図２（Ａ）中のＩＩＢ−ＩＩＢ線に沿った横端面図である。図２（Ｃ）は、Ｓパートに応力を加えない場合の（弛緩状態の）図２（Ａ）中のＩＩＢ−ＩＩＢ線に沿った横端面図である。
【００２５】
図２に示されるＳパートは、前後方向に延在し、少なくとも一部に伸縮性を有する左右一対の頭部１０ａと、左右一対の頭部１０ａに左右両縁が結合し、中央部が着用時に下側に凸型に垂れ下がり、中央付近に底面を形成し、左右両側に側面を形成するキャナルシート１２ａとを有する、キャナル部材１４ａと、着用時に、着用者の胴回りに位置して、キャナル部材１４ａの頭部１０ａが着用者の肌に接触するように、キャナル部材１４ａを着用者の身体に固定する、固定部材として機能する前方被覆部１７ａ及び後方被覆部１９ａとを有している。
【００２６】
後方被覆部１９ａの左右両側には、着脱部材２０ａが設けられている。前方被覆部１７ａの下面には、着脱部材２０ａと互いに着脱自在となるように、着脱部材（図示せず）が設けられている。これらの着脱部材は、例えば、各種面ファスナーにより構成することができる。具体的には、後方被覆部１９ａの左右両側に設けられる着脱部材２０ａとして、粘着テープ、ベルクロテープ（雄）、前方被覆部１７ａの防漏体１０の下面に設けられる着脱部材として、ＴＬＺ（Ｔａｐｅ  Ｌａｎｄｉｎｇ  Ｚｏｎｅ）（雌）、ＺＬＺ（Ｚｉｐｐｅｒ  Ｌａｎｄｉｎｇ  Ｚｏｎｅ）（雌）を用いることができる。
このように、前方被覆部と後方被覆部とを着脱可能に結合させる着脱部材を有するのは、本発明の好ましい態様の一つである。これにより、本発明の吸収体物品をテープ型おむつとすることができる。
【００２７】
着用時には、図２（Ｃ）に示されるように、左右一対の頭部１０ａからキャナルシート１２ａが垂下する。
キャナルシート１２ａの左右方向の中央付近により構成されるキャナル底面３４と、キャナルシート１２ａの左側の頭部１０ａから垂れ下がった部分により構成されるキャナル左側面部３６と、キャナルシート１２ａの右側の頭部１０ａから垂れ下がった部分により構成されるキャナル右側面部３８とにより、キャナル部が形成されている。
【００２８】
図３は、Ｓパートの構成方法をパンツ型おむつを例に模式的に説明した説明図である。
図３（Ａ）は、前方被覆部及び後方被覆部を作り、これとは別体で作ったキャナル部材とを接合してＳパートを構成する方式（前後接合方式）である。
まず、被覆部を構成する材料（例えば、不織布）を用意し（（ａ））、図中の二点鎖線に沿って前後にほぼ等分に２分割するように切り離して、前方被覆部１７ｂ及び後方被覆部１９ｂを構成し（前方被覆部を短く、後方被覆部を長くする場合もある。）、所定の間隔を空けて保持する（（ｂ））。ついで、別工程で構成した頭部１０ｂとキャナルシート１２ｂとを有するキャナル部材１４ｂを供給し（（ｃ））、キャナル部材１４ｂの前後端部と左右側縁の一部とをそれぞれ前方被覆部１７ｂと後方被覆部１９ｂに接合・一体化してＳパートを形成する（（ｄ））。
図３（Ｂ）は、左右の被覆部１６ａを作り、これとは別体で作ったキャナル部材とを接合してＳパートを構成する方式（左右接合方式）である。
まず、被覆部を構成する材料（例えば、不織布）を用意し（（ａ））、図中の二点鎖線に沿って左右に等分に２分割するように切り離して、左右一対の被覆部１６ａを構成し、所定の間隔を空けて保持する（（ｂ））。ついで、別工程で構成した頭部１０ｃとキャナルシート１２ｃとを有するキャナル部材１４ｃを供給し（（ｃ））、キャナル部材１４ｃの左右側縁と右側の被覆部１６ａの左縁及び左側の被覆部１６ａの右縁の一部とをそれぞれ接合・一体化してＳパートを形成する（（ｄ））。
なお、図１に示されるテープ型おむつの吸収体物品１００は、この左右接合方式を応用して得ることができる。
【００２９】
２．Ｒパートの構成
図４〜図９は、それぞれ、種々のＲパートを示す模式図である。
図４に示されるＲパートは、いずれも、シート状の防漏体とその上に配置される吸収体と、その防漏体及び吸収体の表面の全体をサーフェスシートで被覆して構成されている。
これらのＲパートにおいては、例えば、以下のものを材料として使用することができる。
吸収体としては、ＳＡＰ（目付量１００ｇ／ｍ2）、パルプ（目付量２００ｇ／ｍ2）を含有するＳＡＰ／パルプ混合体をマット状に成形して、ティッシュ（目付量２０ｇ／ｍ2）でコアラップしたものを使用することができる。防漏体としては、通気性ＰＥフィルム（目付量１６ｇ／ｍ2）とＰＰ製ＳＭＳ不織布（目付量１３ｇ／ｍ2）との積層シートを使用することができる。サーフェスシートとしては、表面親水化処理を施したＰＥ／ＰＰスパンボンド不織布（目付量１５ｇ／ｍ2）を使用することができる。
【００３０】
図４（Ａ）は、Ｒパートの平面図である。図４（Ｂ）は、図４（Ａ）中のＩＶＢ−ＩＶＢ線に沿った横端面図である。
図４（Ａ）及び図４（Ｂ）に示されるＲパートは、シート状の防漏体２２ａと、吸収体２４ａと、サーフェスシート４０とを有する。
図４（Ａ）及び図４（Ｂ）に示されるＲパートは、前身頃Ｆから股下部Ｃを経て後身頃Ｒにわたって設けられる。
吸収体２４ａは、防漏体２２ａの中央部全域に存在し、それ以外の部分は、防漏体２２ａからなる左右縁部と前後端部を備えている。吸収体２４ａの左右方向の中心位置には前端から後端まで貫通する線状のプレスライン４２が設けられ、中心での折り曲げを均一にかつ容易にすることができる。プレスラインは、例えば、歯車状の凹凸を有する円形板を加圧しながら回転させることにより、凹凸のパターンに応じたプレスラインを形成することができる。
図４（Ａ）及び図４（Ｂ）に示されるＲパートは、左右縁部が防漏体２２ａとそれを被覆するサーフェスシート４０とで構成され、左右方向の中央部分が防漏体２２ａと吸収体２４ａとそれを被覆するサーフェスシート４０とで構成され、吸収体２４ａは、左右方向の中央にプレスライン４２が設けられ、圧縮され薄くなっている。Ｒパートの左右方向の幅は、キャナルシートの左右方向の幅に対して任意に設定できるが、キャナルシートの左右方向の幅より広くすることによって、キャナルシートとＲパートの吸収体の表面との間に空隙を存在させることができる。この空隙の存在効果については後述する。
【００３１】
図４（Ｃ）は、Ｒパートの平面図である。図４（Ｄ）は、図４（Ｃ）中のＩＶＤ−ＩＶＤ線に沿った縦端面図である。
図４（Ｃ）及び図４（Ｄ）に示されるＲパートは、シート状の防漏体２２ａと、吸収体２４ｂと、サーフェスシート４０とを有する。
図４（Ｃ）及び図４（Ｄ）に示されるＲパートは、図４（Ａ）及び図４（Ｂ）に示されるＲパートと基本的に同じであるが、吸収体２４ｂが前後方向に二つ配置され、その間には吸収体が存在しない点で異なる。
この態様のＲパートは、プレスライン４２により左右方向の中心で折れ曲がりやすいとともに、吸収体の存在しない股下部Ｃで前後にも屈曲しやすい。
【００３２】
図４（Ｅ）は、Ｒパートの平面図である。図４（Ｆ）は、図４（Ｅ）中のＩＶＦ−ＩＶＦ線に沿った横端面図である。
図４（Ｅ）及び図４（Ｆ）に示されるＲパートは、シート状の防漏体２２ａと、吸収体２４ｃと、サーフェスシート４０とを有する。
図４（Ｅ）及び図４（Ｆ）に示されるＲパートは、図４（Ａ）及び図４（Ｂ）に示されるＲパートと基本的に同じであるが、吸収体２４ｃが左右方向に二つ配置され、その間には吸収体が存在しない点で異なる。
この態様のＲパートは、左右方向の中心で折れ曲がりやすい。
【００３３】
図４（Ｇ）は、Ｒパートの平面図である。図４（Ｈ）は、図４（Ｅ）中のＩＶＨ−ＩＶＨ線に沿った横端面図である。
図４（Ｇ）及び図４（Ｈ）に示されるＲパートは、シート状の防漏体２２ａと、吸収体２４ｄと、サーフェスシート４０とを有する。
図４（Ｇ）及び図４（Ｈ）に示されるＲパートは、図４（Ａ）及び図４（Ｂ）に示されるＲパートと基本的に同じであるが、吸収体２４ｄが、左右両縁で折り返されて、中央付近は１層、左右両側が２層となっている点で異なる。換言すれば、吸収体２４ｄは、左右方向の中央部位に薄い部分を有し、その左右に厚い部分を有している。なお、本明細書において、吸収体についての「厚い部分」及び「薄い部分」という用語は、相対的な厚さの相違に着目して「厚い」及び「薄い」という表現をしたものである。
この態様のＲパートは、左右方向の中心で折れ曲がりやすい。
【００３４】
本発明においては、吸収体が、厚い部分と薄い部分とを有するのが、好ましい態様の一つである。例えば、吸収体が、左右方向に厚い部分と薄い部分とを有する態様、吸収体が、左右方向の中央部位に薄い部分を有し、その左右に厚い部分を有する態様、吸収体が、前後方向に厚い部分と薄い部分とを有する態様、及び、吸収体が、前後方向の中央部に薄い部分を有し、その前後に厚い部分を有する態様が、好適に挙げられる。
【００３５】
図５に示されるＲパートは、いずれも、シート状の防漏体とその上に配置される吸収体と、その防漏体及び吸収体の表面の全体をサーフェスシートで被覆して構成されている。
これらのＲパートにおいては、例えば、以下のものを材料として使用することができる。
吸収体としては、シート状に成形された吸収体であるＳＡＰシートを使用することができる。ＳＡＰシートとしては、例えば、嵩高の不織布基材にストライプ状にＳＡＰ（目付量２００ｇ／ｍ2）を担持させ、ＳＡＰ表面をネット状ホットメルトで被覆したものが挙げられる。防漏体及びサーフェスシートとしては、図４に示されるＲパートと同様のものを使用することができる。
【００３６】
図５（Ａ）は、Ｒパートの平面図である。図５（Ｂ）は、図５（Ａ）中のＶＢ−ＶＢ線に沿った横端面図である。
図５（Ａ）及び図５（Ｂ）に示されるＲパートは、シート状の防漏体２２ａと、吸収体２４ｅと、サーフェスシート４０とを有する。
図５（Ａ）及び図５（Ｂ）に示されるＲパートは、前身頃Ｆから股下部Ｃを経て後身頃Ｒにわたって設けられる。
吸収体２４ｅは、前後方向にストライプが延在するように防漏体２２ａの中央部全域に存在し、それ以外の部分は、防漏体２２ａからなる左右縁部と前後端部を備えている。
この態様のＲパートは、吸収体２４ｅを構成するＳＡＰシートが、左右方向にＳＡＰの存在部位と非存在部位が交互に配置されているため、左右に屈曲しやすくなっている。
【００３７】
図５（Ｃ）は、Ｒパートの平面図である。図５（Ｄ）は、図５（Ｃ）中のＶＤ−ＶＤ線に沿った横端面図である。
図５（Ｃ）及び図５（Ｄ）に示されるＲパートは、シート状の防漏体２２ａと、吸収体２４ｆと、サーフェスシート４０とを有する。
図５（Ｃ）及び図５（Ｄ）に示されるＲパートは、図５（Ａ）及び図５（Ｂ）に示されるＲパートと基本的に同じであるが、吸収体２４ｆが、左右方向にストライプが延在するように設けられ、かつ、吸収体２４ｆの左右方向の中心位置に前端から後端まで貫通する線状のプレスライン４２が設けられている点で異なる。
この態様のＲパートは、プレスライン４２により左右方向の中心で折れ曲がりやすいとともに、吸収体２４ｆを構成するＳＡＰシートが、前後方向にＳＡＰの存在部位と非存在部位が交互に配置されているため、前後に屈曲しやすくなっている。
【００３８】
図６に示されるＲパートは、シート状の防漏体とその上に配置される吸収体と、その防漏体及び吸収体の表面の全体をサーフェスシートで被覆して構成されている。
このＲパートにおいては、吸収体、防漏体及びサーフェスシートとして、図４に示されるＲパートと同様のものを使用することができる。
【００３９】
図６（Ａ）は、Ｒパートの平面図である。図６（Ｂ）は、図６（Ａ）中のＶＩＢ−ＶＩＢ線に沿った横端面図である。
図６に示されるＲパートは、シート状の防漏体２２ｂと、吸収体２４ｇと、サーフェスシート４０ａとを有する。
図６に示されるＲパートは、前身頃Ｆから股下部Ｃを経て後身頃Ｒにわたって設けられる。
吸収体２４ｇは、防漏体２２ａの中央部全域に左右方向に二つ配置され、その間には吸収体が存在しない。また、それ以外の部分は、防漏体２２ｂからなる左右縁部と前後端部を備えている。
防漏体２２ｂは、左右縁部が内側に折り返されて吸収体２４ｇの左右の一部を前端から後端の全長にわたって被覆し、また、前後端部で接合・固定されている。防漏体２２ｂの折り返し部には、折り返し線の周辺の内面と、左右の吸収体２４ｇとの間に、前後方向に延在する小さな隙間が形成されるため、左右縁部からの体液の漏れを防ぐ効果を奏する。
【００４０】
図７に示されるＲパートは、シート状の防漏体とその上に配置される左右一対の吸収体と、その防漏体及び吸収体の表面の全体をサーフェスシートで被覆して構成されている。
このＲパートにおいては、吸収体、防漏体及びサーフェスシートとして、図４に示されるＲパートと同様のものを使用することができる。
【００４１】
図７（Ａ）は、Ｒパートの平面図である。図７（Ｂ）は、図７（Ａ）中のＶＩＩＢ−ＶＩＩＢ線に沿った横端面図である。
図７に示されるＲパートは、シート状の防漏体２２ｃと、吸収体２４ｈと、サーフェスシート４０ｂとを有する。
図７に示されるＲパートは、前後方向の長さが比較的短く、股下部Ｃのみに設けられる。他方、左右方向の幅は比較的広く、キャナルシートの左右方向の幅より相当程度広くなるようになっている。
吸収体２４ｈは、防漏体２２ｃの左右両側に大きな間隔を空けて配置され、防漏体２２ｃを折り返して形成された、十分な容量を有する一対の左右ポケット部４４の中に収容されている。
防漏体２２ｃは、左右縁部で内側に大きく折り返され、深い左右ポケット部４４を形成し、さらに、左右方向の中央に間隔を空けて、再度外側に折り返されている。
防漏体２２ｃは、左右一対の吸収体２４ｈの左右方向の全幅を前端から後端の全長にわたって被覆し、中央に面する部分を除き、左右縁部及び前後端をシールして、一対の左右ポケット部４４を形成している。左右ポケット部４４は、左右方向の中央向きに、対向する一対の開口４６を有している。
防漏体２２ｃの折り返し部は、図１０（Ｃ）の説明において詳述するが、キャナルシートと接合される側縁結合部になる。吸収体の存在しない左右方向の中央部は、防漏体２２ｃとサーフェスシート４０ｂとから構成されており、屈曲性を持つ。
この態様のＲパートは、図１０（Ｃ）の説明において詳述するが、左右ポケット部４４で移送された体液を収容し、中央部位が屈曲して体液の移動通路として機能する。
【００４２】
図８に示されるＲパートは、シート状の防漏体とその上に配置される吸収体と、その防漏体及び吸収体の表面の全体をサーフェスシートで被覆して構成されている。
このＲパートにおいては、吸収体、防漏体及びサーフェスシートとして、図４に示されるＲパートと同様のものを使用することができる。
【００４３】
図８（Ａ）は、Ｒパートの平面図である。図８（Ｂ）は、図８（Ａ）中のＶＩＩＩＢ−ＶＩＩＩＢ線に沿った縦端面図である。
図８に示されるＲパートは、シート状の防漏体２２ｄと、吸収体２４ｉと、サーフェスシート４０ｃとを有する。
図８に示されるＲパートは、前身頃Ｆから股下部Ｃを経て後身頃Ｒにわたって設けられる。
吸収体２４ｉは、股下部Ｃにおいて左右が細くくびれた形状を有しており、防漏体２２ｄの中央部全域に配置され、それ以外の部分は、防漏体２２ｄからなる左右縁部と前後端部を備えている。吸収体２４ｉの左右方向の中心位置には前端から後端まで貫通する線状のプレスライン４２が設けられ、中心での折り曲げを均一にかつ容易にすることができる。
防漏体２２ｄは、前後縁部で前後方向の内側に大きく折り返されており、吸収体２４ｉの前端及び後端の付近を被覆し、中央に面する部分を除き、折り返し部の左右側縁の防漏体２２ｄの重なり部分をシールして、前方ポケット部４８及び後方ポケット部５０を形成している。前方ポケット部４８は、後ろ向きに開口５２を有し、後方ポケット部５０は、前向きに開口５４を有している。
この態様のＲパートは、前方ポケット部４８及び後方ポケット部５０で移送された体液を収容し、前後に滲み出したり、オーバーフローしたりすることを防止することができる。
このように、前端で折り返した防漏体の下面により吸収体の前部が被覆され、吸収体の上面と折り返した防漏体の下面との間に前方ポケット部を有するのは、本発明の好ましい態様の一つであり、また、後端で折り返した防漏体の下面により吸収体の後部が被覆され、吸収体の上面と折り返した防漏体の下面との間に後方ポケット部を有するのは、本発明の好ましい態様の一つである。
【００４４】
図９に示されるＲパートは、シート状の防漏体とその上に配置される吸収体と、その防漏体及び吸収体の表面の全体をサーフェスシートで被覆して構成されている。
このＲパートにおいては、吸収体、防漏体及びサーフェスシートとして、図４に示されるＲパートと同様のものを使用することができる。
【００４５】
図９（Ａ）は、Ｒパートに応力を加えて前後方向及び左右方向に引っ張って展開し、ほぼ平面状にした状態（緊張状態）を模式的に示した平面展開図である。図９（Ｂ）は、前記の状態の図９（Ａ）中のＩＸＢ−ＩＸＢ線に沿った横端面図である。
図９に示されるＲパートは、シート状の防漏体２２ａと、吸収体２４ｊと、サーフェスシート４０と、伸縮部材５６とを有する。
図９に示されるＲパートは、前身頃Ｆから股下部Ｃを経て後身頃Ｒにわたって設けられる。
図９に示されるＲパートは、図４（Ａ）及び図４（Ｂ）に示されるＲパートと基本的に同じであるが、吸収体２４ｊが股下部Ｃにおいて左右が細くくびれた形状を有しており、かつ、防漏体２２ａの左右側縁の上に伸縮部材５６を有する点で異なる。また、吸収体２４ｊは、細くくびれている点は吸収体２４ｉと同じであるが、左右の幅が少し狭く、吸収体２４ｉの存在しない防漏体２２ａの左右縁部が相対的に広くなっている。
防漏体２２ａの左右縁部には、伸縮部材５６が配置されている。伸縮部材５６としては、例えば、２本のポリウレタンフィラメントを使用することができる。
この態様のＲパートは、左右縁部に伸縮部材５６を有するため、防漏体２２ａの左右側面が立ち上がるようになっている。
このように、防漏体の左右縁部に、その前後方向の長さを縮める作用を奏する伸縮部材を有するのは、本発明の好ましい態様の一つである。
【００４６】
本発明において、防漏体は、体液の漏れを防ぐシート状の防漏体であれば、特に限定されない。
防漏体の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、ＪＩＳ  Ｌ１０９２：２００９に規定される低水圧法による耐水度が１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００４７】
防漏体は、複数の部材から構成されていてもよい。
【００４８】
防漏体は、シート状であり、吸収体を上部に収納し得るものであれば、その形状を特に限定されない。
【００４９】
本発明に用いられる吸収体は、体液を吸収しうるものであれば特に限定されず、従来公知の吸収体物品に用いられる吸収体を用いることができる。例えば、粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００５０】
シート状吸収体は、形態安定性、ＳＡＰの脱落防止性能等に優れる。
シート状吸収体の中でも、シート状吸収体全体（コアラッピング材を含む場合はコアラッピング材を除く部分）に対し、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００５１】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。高吸水性シートの厚さは、ＪＩＳ  Ｌ１０９６：２０１０に規定される方法により測定される。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
高吸水性シートは、ストライプ状に吸収体が存在する部分と存在しない部分とが交互に存在するのが好ましい態様の一つである。例えば、左右方向において、吸収体が存在する部分と存在しない部分とが交互に存在する態様、及び、前後方向において、吸収体が存在する部分と存在しない部分とが交互に存在する態様が、好適に挙げられる。
そのほかに、例えば、起毛状不織布にＳＡＰを大量に担持させ、ホットメルト接着剤、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００５２】
吸収体は、防漏体の上部に、少なくとも１層配置される。すなわち、吸収体は、１層であってもよく、２層以上（複数層）であってもよい。
また、吸収体は、折りたたんだ状態で配置することもできる。
【００５３】
本発明においては、Ｒパートが、更に、サーフェスシートを有していてもよい。サーフェスシートとしては、従来の吸収体製品のトップシートとして用いられているものを用いることができるが、抗菌性等のスキンケア性能を付与してもよい。また、本発明者らが、国際公開第０２／００１５４号パンフレットで提案したような特殊なスキンコンタクトシートを用いることもできる
【００５４】
３．ＳパートとＲパートとの結合態様
本発明の吸収体物品においては、少なくとも股下部において、キャナルシートの底面の下側の一部と吸収体の表面の一部又は防漏体の上面の一部とが底面結合部で結合しており、少なくとも股下部において、キャナルシートの左右両側の側面の外側の一部と防漏体の左右側縁部とが側縁結合部で結合している。これにより、キャナル部に受容された体液を、通路を経由して吸収体の表面に円滑に移送することが可能になる。
【００５５】
図１０は、種々の本発明の吸収体物品を示す股下部Ｃにおける模式的な横端面図である。
図１０（Ａ）に示される吸収体物品１００ａは、Ｓパートと、図４（Ａ）及び図４（Ｂ）に示されるＲパートとを有する。
Ｓパートを構成するキャナル部材１４ｄは、伸縮性を有する左右一対の頭部（例えば、ポリウレタンフィラメントを３本並列に配置して、後述するキャナルシートと同じ不織布で被覆したもの）１０ｄと、その左右一対の頭部１０に左右両縁を結合して中央部分を構成するキャナルシート（例えば、表面を親水化処理したＰＥ／ＰＥＴ不織布（例えば、目付量２０ｇ／ｍ2））１２ｄとを有してなる。
Ｓパートのキャナルシート１２ｄとＲパートとは、左右の側縁結合部２６ａと底面結合部３２ａの３箇所で接合し、一体化されている。具体的には、防漏体２２ａの左右の側縁（サーフェスシート４０で被覆されている。）の上面とキャナルシート１２ｄの外側面とが、ホットメルト接着剤で結合し、側縁結合部２６ａを形成している。また、吸収体２４ａの表面（サーフェスシート４０で被覆されている。）の左右方向の中央部のプレスライン相当部と、キャナルシート１２ｄの底面の外側（下側）とがホットメルト接着剤で結合し、底面結合部３２ａを形成している。
吸収体物品１００ａにおいては、Ｒパートの防漏体２２ａ及び吸収体２４ａはキャナルシート１２ｄのＵ字型形状に沿うように変形しており、キャナルシート１２ｄとＲパートとの間には大きな隙間は存在しない。
このように、防漏体が、着用時に、少なくとも股下部において、下側に凸状の形状となるのは、本発明の好ましい態様の一つである。これにより、股下部において、排出器と吸収体の表面との間に十分な間隙を設けることができ、着用者の肌の濡れを防止することができる。
【００５６】
図１０（Ｂ）に示される吸収体物品１００ｂは、Ｓパートと、図６（Ａ）及び図６（Ｂ）に示されるＲパートとを有する。
Ｓパートは、図１０（Ａ）に示される吸収体物品１００ａにおけるのと同様である。
Ｓパートのキャナルシート１２ｄとＲパートとは、左右の側縁結合部２６ｂと底面結合部３２ｂの３箇所で接合し、一体化されている。具体的には、防漏体２２ｂの左右側縁の折り返された部分の上面とキャナルシート１２ｄの外側面とが、ホットメルト接着剤で結合し、側縁結合部２６ｂを形成している。また、防漏体２２ｂの左右方向の中央部の吸収体が存在せず、薄くなっている部分（サーフェスシート４０ａで被覆されている。）と、キャナルシート１２ｄの底面の外側（下側）とがホットメルト接着剤で結合し、底面結合部３２ｂを形成している。
吸収体物品１００ｂにおいては、防漏体２２ｂの折り返された比較的幅広な形状に起因して、キャナルシート１２ｄとＲパートとの左右側面の間に、左右に２個の大きな前後方向に延在する通路状の隙間である空隙Ｓ（体液の移動通路として機能する。）が存在するようになる。そのためキャナルシート１２ｄの外側面と吸収体２４ｇの表面とは、生じた空隙Ｓにより隔離される状態になる。
このように、防漏体の左右方向の幅が、キャナルシートの左右方向の幅より広く、これにより、キャナルシートと吸収体の表面との間に空隙を存在させるのは、本発明の好ましい態様の一つである。この態様においては、防漏体の左右方向の幅が、キャナルシートの左右方向の幅より１０ｍｍ以上広いのが好ましい。
中でも、上側に吸収体が存在しない防漏体の左右側縁部の幅を広げて幅広側縁部とし、そこに側縁結合部を設けることにより、キャナルシートと吸収体の表面との間に空隙を存在させる態様が好ましい。また、左右の幅広側縁部を吸収体の上表面の一部を被覆するように、左右から幅方向の中心に向かって、左右が対向するように、折り返し、上下端部の防漏体の重なり部分を接合し、折り返した側縁部の上面に側縁結合部を設けることにより、キャナルシートと吸収体の表面との間に空隙を存在させる態様がより好ましい。
【００５７】
図１０（Ｃ）に示される吸収体物品１００ｃは、Ｓパートと、後述するＲパートとを有する。
Ｓパートは、図１０（Ａ）に示される吸収体物品１００ａにおけるのと同様である。
Ｒパートは、図７（Ａ）及び図７（Ｂ）に示されるＲパートと同様の防漏体の構造を有しているが、吸収体等の存在状態が異なる。
シート状の防漏体２２ｅは、図７（Ａ）及び図７（Ｂ）に示されるＲパートにおける防漏体２２ｃと同様である。防漏体２２ｅは、左右縁部で内側に大きく折り返され、さらに、左右方向の中央に間隔を空けて、再度外側に折り返されている。
比較的幅の狭い吸収体２４ｋは、防漏体２２ｅの左右両側に大きな間隔を空けて配置され、防漏体２２ｅを折り返して形成された一対の深い左右ポケット部４４ａの中に収容されている。比較的幅の広い吸収体２４ｌは、防漏体２２ｅの底面上において、左右ポケット部４４ａの一方から他方へと左右方向に延在している。吸収体２４ｌの上には、左右方向のほぼ全域にわたって、拡散シート５８が設けられている。拡散シート５８は、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。
吸収体物品１００ｃは、このように吸収体２４ｋ及び２４ｌを有しているので、図７（Ａ）及び図７（Ｂ）に示されるＲパートを有する吸収体物品に比べて、吸収容量が大きい。
このように、左右の幅広側縁部を吸収体の左右方向の表面全体を被覆するように、左右から幅方向の中心に向かって、左右が対向するように、折り返して、中央部に開口を持つ、左右ポケット部を形成させ、折り返した側縁部の上面に側縁結合部を設けることにより、キャナルシートと吸収体の表面との間に空隙Ｓを存在させるのが、本件発明の好ましい態様の一つである。
【００５８】
Ｓパートのキャナルシート１２ｄとＲパートとは、左右の側縁結合部２６ｃと底面結合部３２ｃの３箇所で接合し、一体化されている。具体的には、防漏体２２ｅの左右側縁の折り返された部分の内側面とキャナルシート１２ｄの外側面とが、ホットメルト接着剤で結合し、側縁結合部２６ｃを形成している。また、防漏体２２ｅの左右方向の中央部の吸収体としては吸収体２４ｋのみが存在し、吸収体２４ｌが存在せず、薄くなっている部分（拡散シート５８で被覆されている。）と、キャナルシート１２ｄの底面の外側（下側）とがホットメルト接着剤で結合し、底面結合部３２ｃを形成している。
吸収体物品１００ｃにおいては、防漏体２２ｅの折り返された比較的幅広な形状に起因して、キャナルシート１２ｄとＲパートとの左右側面の間に、左右に２個の大きな前後方向に延在する通路状の隙間である空隙Ｓ（体液の移動通路として機能する。）が存在するようになる。キャナルシート１２ｄの外側面と吸収体２４ｋ及び２４ｌの表面とは、これらの吸収体が左右ポケット部４４ａに収容されている上、生じた空隙Ｓにより更に隔離される状態になる。
図１０（Ｃ）に示される左右ポケット部４４ａを有するカプセル型の吸収体物品１００ｃは、股下部Ｃにおいて、着用者の排泄部を完全に覆うように収容することができる。したがって、例えば、女性用の失禁用品や夜用の生理用ナプキンに好適に用いられる。
【００５９】
４．体液の移送
本発明の吸収体物品においては、キャナルシートの上側から吸収体の表面に体液を移送する通路が設けられている。
通路は、例えば、キャナルシート自体が有する微小開口（例えば、キャナルシートが液透過性の不織布で構成されている場合、液透過性の不織布の細孔）、キャナルシートに設けられたスリット、キャナルシートに設けられた切欠きが挙げられる。
本発明の吸収体物品を着用している着用者が体液を排出した場合、排出された体液が、キャナルシートの上側に受容され、その後、前後方向に移動しつつ、キャナルシートの上側から上述した通路を通じて吸収体の表面に移送される。
【００６０】
５．本発明の吸収体物品の製造方法
本発明の吸収体物品は、その製造方法を特に限定されないが、Ｓパート及びＲパートをそれぞれ形成する工程と、その後、ＳパートとＲパートとを結合させる工程とを行うことにより、製造することができる。
このように、Ｓパート及びＲパートをそれぞれモジュール化することにより、製造工程が簡易になり、したがって、投資コストを抑制することができるとともに、生産性も優れたものとなる。
【００６１】
以下、本発明の吸収体物品のより具体的な実施態様の例について説明する。
【００６２】
図１１は、本発明の吸収体物品の実施態様の別の例を示す模式図である。具体的には、図１１は、Ｓパート（ＳＰ）とＲパート（ＲＰ）とを有し、ＳパートがＳパートの底面と側縁の一部とでＲパートに結合し、一体化されている大人用パンツ型おむつを示している。
図１１（Ａ）は、パンツ型おむつの態様である吸収体物品をそのウエストギャザーの左右両側の腰部シール部（図中のＺ及びＺ’）で切断して、吸収体物品に応力を加えて前後方向及び左右方向に引っ張って展開し、ほぼ平面状にした状態を模式的に示した平面展開図である。図１１（Ｂ）は、前記の状態の図１１（Ａ）中のＸＩＢ−ＸＩＢ線に沿った横端面図である。図１１（Ｃ）は、前記の状態の図１１（Ａ）中のＸＩＣ−ＸＩＣ線に沿った横端面図である。図１１（Ｄ）は、吸収体物品に応力を加えない場合の（弛緩状態の）図１１（Ａ）中のＸＩＣ−ＸＩＣ線に沿った横端面図である。なお、以下の説明において、各部材の材料は、例示である。
【００６３】
図１１に示される本発明の吸収体物品１０１は、基本的に、前後方向に延在し、少なくとも一部に伸縮性を有する左右一対の頭部１０ｅと、左右一対の頭部１０ｅに左右両縁が結合し、中央部が着用時に下側に凸型に垂れ下がり、中央付近に底面を形成し、左右両側に側面を形成するキャナルシート１２ｅとを有する、キャナル部材１４ｅと、着用時に、キャナル部材１４ｅの頭部１０ｅが着用者の肌に接触するように、キャナル部材１４ｅを着用者の身体に固定する、固定部材とを有する、Ｓパートと；体液の漏れを防ぐシート状の防漏体２２ｆと、防漏体２２ｆの上側に配置された体液を吸収しうる吸収体２４ｍとを有する、Ｒパートとを具備する。
【００６４】
吸収体物品１０１のＳパートは、吸収体物品１００のＳパートが図３（Ｂ）に例示される左右接合方式のＳパートであるのに対し、図３（Ａ）に例示される前後接合方式のＳパートである。
Ｓパートは、前方被覆部１７ｃと後方被覆部１９ｃとを備えている。比較的太い弾性糸３本（例えば、７８０ｄｔｅｘのポリウレタンフィラメント）を前後方向の外側縁部に、比較的細い弾性糸３本（例えば、４７０ｄｔｅｘのポリウレタンフィラメント）を前後方向の内側に並列させて、２枚の不織布（例えば、液不透過性のＰＰ製ＳＭＳ不織布（例えば、目付量１５ｇ／ｍ2））で挟んで接合した複層シートを調製し、これを、図３（Ａ）を用いて説明したように、前後方向の中央部で切断して２分割したものを、それぞれ前方被覆部１７ｃ及び後方被覆部１９ｃとして用いることができる。
前方被覆部１７ｃと後方被覆部１９ｃとは、一体化しており、着用時に、着用者の腹部の周囲を被覆する。このように、前方被覆部と後方被覆部とが一体化し、着用時に、着用者の腹部の周囲を被覆するのは、本発明の好ましい態様の一つである。
前方被覆部１７ｃ及び後方被覆部１９ｃの左右方向の中央の上面には、キャナル部材１４ｅが配置されている。キャナル部材１４ｅの前端は、前方被覆部１７ｃの上面とキャナル部−前端結合部６０で接合し、キャナル部材１４ｅの後端は、後方被覆部１９ｃの上面とキャナル部−後端結合部６２で接合して、Ｓパートを構成している。
キャナル部材１４ｅは、伸縮性を有する左右一対の頭部（例えば、７８０ｄｔｅｘのポリウレタンフィラメントを２本並列に配置してキャナルシートと同じ不織布で被覆したもの）１０ｅと、左右一対の頭部１０ｅに左右両縁を結合して中央部分を構成するキャナルシート（例えば、表面を親水化処理したＰＰ／ＰＥスパンボンド不織布）１２ｅとを有している。
【００６５】
吸収体物品１０１のＲパートは、吸収体物品１００のＲパートが図４（Ｅ）及び図４（Ｆ）で例示した左右に分離した吸収体を用いているのに対して、図５（Ａ）で例示したＳＡＰシートからなる吸収体を用いている。
Ｒパートは、シート状の防漏体（例えば、通気性のＰＥフィルム（例えば、厚さ１５μｍ）にＰＰ製のＳＭＳ不織布（例えば、目付量１３ｇ／ｍ2）を積層したもの）２２ｆと、その上側にＳＡＰシート（例えば、不織布上にＳＡＰ層（例えば、目付量２００ｇ／ｍ2）を前後方向に延在する１０ｍｍ幅の帯状に５ｍｍ間隔でコーティングしたメガシン（（株）日本吸収体技術研究所製））からなる吸収体２４ｍとを配置し、吸収体２４ｍの全体及び防漏体２２ｆの一部の上面をサーフェスシート（例えば、ＰＥ／ＰＥＴ製のエアスルー不織布（例えば、目付量２０ｇ／ｍ2））で被覆することにより構成されている。
【００６６】
Ｒパートは、前方被覆部１７ｃの後端の下側からキャナル部材１４ｅの下側を経て後方被覆部１９ｃの前端の下側にわたって配置されている。Ｒパートの前端は、前方被覆部１７ｃの下面と身体非接触パート（Ｒパート）−前端結合部６４で結合し、Ｒパートの後端は後方被覆部１９ｃの下面と身体非接触パート（Ｒパート）−後端結合部６６で結合している。Ｒパート−前端結合部６４及びＲパート−後端結合部６６は、いずれも、帯状に全幅にわたってシールされている。
このように、前方被覆部の下面と防漏体の前端部とが、左右方向に延在するＲパート−前端結合部で結合しているのは、本発明の好ましい態様の一つであり、また、後方被覆部の下面と防漏体の前端部とが、左右方向に延在するＲパート−後端結合部で結合しているのは、本発明の好ましい態様の一つである。
防漏体２２ｆは、その吸収体２４ｍ上に折り返された側縁の上面が、前方被覆部１７ｃ及び後方被覆部１９ｃの下面と、左右の側縁結合部２６ｄで結合している（図１１（Ｂ）参照）。
Ｒパートとキャナルシート１２ｅとは、左右の側縁結合部２６ｄと底面結合部３２ｄで結合している。防漏体２２ｆの折り返し部とキャナルシート１２ｅとの間の側縁結合部２６ｄは、キャナルシート１２ｅの前端部から後端部にわたってスポット状に間欠部分を有するように設けられ、キャナルシート１２ｅの動きを拘束しないようになっている。底面結合部３２ｄは、左右方向の中央部の股下部Ｃにおいて設けられ、吸収体２４ｍ（具体的には、サーフェスシート４０ｄ）の表面に帯状に前後に延在している（図１１（Ｃ）参照）。
【００６７】
ＳパートとＲパートとの接合態様は、吸収体物品１００においてはＲパートがキャナルシートの外面に接合され、図１０（Ａ）に例示される態様のように、キャナルシートの外側と吸収体との間に間隙がほとんど生じていないのに対し、Ｒパートが前方被覆部１７ｃ及び後方被覆部１９ｃの下面に接合され、図１０（Ｂ）に例示される態様のように、防漏体２２ｆの側縁の幅を広くし、吸収体２４ｍの上側に折り返されている。
着用時には、キャナルシート１２ｅは、Ｕ字型の形状を呈し、左右の側縁結合部２６ｄと底面結合部３２ｄとの間の領域で、キャナルシート１２ｅと吸収体２４ｍの上面との間に、左右１個ずつの大きな前後方向に延在する通路状の隙間である空隙Ｓ（体液の移動通路として機能する。）が存在するようになる。
この左右の空隙Ｓの存在は、キャナルシート１２ｅによる頭部１０ｅに接する着用者の身体の表面と吸収体２４ｍの表面との接触を防止することができるという効果をより強くする。
また、キャナル部材１４ｅの内側に形成される空間が、着用者から排出された体液が前後方向に移動する第１の通路とすれば、左右の空隙Ｓは、キャナル部材１４ｅの上から吸収体２４ｍの表面に移送された体液が、吸収体２４ｍの表面を移動するための第２の通路としての役割を果たす。
吸収体物品１０１は、この第１の通路及び第２の通路の存在によって、排出された体液が、吸収体２４ｍの上下方向及び左右方向の全体にわたって素早く、均一に分配・拡散・吸収されるため、吸収体２４ｍの吸収能力を効果的に利用することができる。
【００６８】
図１２は、本発明の吸収体物品の実施態様の更に別の例を示す模式図である。具体的には、図１２は、Ｓパート（ＳＰ）とＲパート（ＲＰ）とを有し、ＳパートがＳパートの底面と側縁の一部とでＲパートに結合し、一体化されている大人用パンツ型おむつを示している。
図１２（Ａ）は、パンツ型おむつの態様である吸収体物品をそのウエストギャザーの左右両側の腰部シール部（図中のＺ及びＺ’）で切断して、吸収体物品に応力を加えて前後方向及び左右方向に引っ張って展開し、ほぼ平面状にした状態を模式的に示した平面展開図である。図１２（Ｂ）は、前記の状態の図１２（Ａ）中のＸＩＩＢ−ＸＩＩＢ線に沿った縦端面図である。図１２（Ｃ）は、前記の状態の図１２（Ａ）中のＸＩＩＣ−ＸＩＩＣ線に沿った横端面図である。図１２（Ｄ）は、前記の状態の図１２（Ａ）中のＸＩＩＤ−ＸＩＩＤ線に沿った横端面図である。なお、以下の説明において、各部材の材料は、例示である。
【００６９】
吸収体物品１０２は、吸収体物品１０１と同様であるが、Ｓパートの形状及びＲパートの前後方向の長さが異なる。
吸収体物品１０２のＳパートは、前方被覆部１７ｄ及び後方被覆部１９ｄの前後方向の長さが、吸収体物品１０１のＳパートに比べて長い。吸収体物品１０１の前方被覆部１７ｃ及び後方被覆部１９ｃの前後方向の長さは、１７０ｍｍ程度であり、吸収体物品１０２の前方被覆部１７ｄ及び後方被覆部１９ｄの前後方向の長さは、２３０ｍｍ程度である。
前方被覆部１７ｄ及び後方被覆部１９ｄの左右方向の中央の上面には、キャナル部材１４ｅが配置されている。キャナル部材１４ｅの前端は、前方被覆部１７ｄの上面とキャナル部−前端結合部６０ａで接合し、キャナル部材１４ｅの後端は、後方被覆部１９ｄの上面とキャナル部−後端結合部６２ａで接合して、Ｓパートを構成している。キャナル部−前端結合部６０ａは、前方被覆部１７ｄの後側１／３程度の位置にあり、キャナル部−後端結合部６２ａは、後方被覆部１９ｄの前側１／３程度の位置にある。
【００７０】
Ｒパートは、前方被覆部１７ｄの前端寄りの下側からキャナル部材１４ｅの下側を経て後方被覆部１９ｄの後端寄りの下側にわたって、キャナル部材１４ｅの全長より前後方向に長く配置されている。Ｒパートの前端は、前方被覆部１７ｄの下面とＲパート−前端結合部６４ａで結合し、Ｒパートの後端は後方被覆部１９ｄの下面とＲパート−後端結合部６６ａで結合している。Ｒパート−前端結合部６４ａ及びＲパート−後端結合部６６ａは、いずれも、帯状に左右方向の全幅にわたって設けられている。この場合、前方被覆部１７ｄ及び後方被覆部１９ｄのウェストギャザー６８及びシャーリングギャザー７０の左右方向への伸縮性を阻害しないように、ウェストギャザー６８及びシャーリングギャザー７０の弾性糸の伸縮強度を高めるのが好ましい態様の一つである。
Ｒパートとキャナルシート１２ｅとは、左右の側縁結合部２６ｅと底面結合部３２ｅで結合している。防漏体２２ｆの折り返し部とキャナルシート１２ｅとの間の側縁結合部２６ｅは、キャナルシート１２ｅの前端部から後端部にわたってスポット状に間欠部分を有するように設けられ、キャナルシート１２ｅの動きを拘束しないようになっている。底面結合部３２ｅは、左右方向の中央部の股下部Ｃにおいて設けられ、吸収体２４ｍ（具体的には、サーフェスシート４０ｄ）の表面に帯状に前後に延在している（図１２（Ｂ）参照）。
【００７１】
Ｒパートの前端及び後端は、前方被覆部１７ｄ及び後方被覆部１９ｄにより、防漏体２２ｆと吸収体２４ｍの前身頃Ｆの前部及び後身頃Ｒの後部の上面が被覆されて、前後方向に比較的長い前方ポケット部４８ａ及び後方ポケット部５０ａが形成されている。なお、吸収体物品１０１においても、同様な被覆部分に基づくポケット状の空間が存在するが、吸収体物品１０２の場合と比べて、長さは短い。
また、本発明においては、防漏体の前端部を吸収体の上表面の一部を被覆するように後方に向かって折り返し、折り返し部の左右側縁の防漏体の重なり部分を結合し、身体非接触パートの前部にポケットを形成し、防漏体の折り返し部の上面と前方被覆部の下面とを前端接合部で結合している態様、及び、防漏体の後端部を吸収体の上表面の一部を被覆するように前方に向かって折り返し、折り返し部の左右側縁の防漏体の重なり部分を接合し、身体非接触パートの後方にポケットを形成し、防漏体の折り返し部の上面と後方被覆部の下面とを後端結合部で結合している態様も、それぞれ、好ましい態様の一つである。
【００７２】
ＳパートとＲパートとの接合態様は、吸収体物品１０１と同様に、Ｒパートが前方被覆部１７ｄ及び後方被覆部１９ｄの下面に接合され、防漏体２２ｆの側縁の幅を広くし、吸収体２４ｍの上側に折り返されている。
着用時には、キャナルシート１２ｅは、Ｕ字型の形状を呈し、左右の側縁結合部２６ｅと底面結合部３２ｅとの間の領域で、キャナルシート１２ｅと吸収体２４ｍの上面との間に、左右１個ずつの大きな前後方向に延在する通路状の隙間である空隙（体液の移動通路として機能する。）が存在するようになる。
キャナル部材１４ｅの内側に形成される空間が、着用者から排出された体液が前後方向に移動する第１の通路とすれば、左右の空隙は、キャナル部材１４ｅの上から吸収体２４ｍの表面に移送された体液が、吸収体２４ｍの表面を移動するための第２の通路としての役割を果たす。
吸収体物品１０２は、この第１の通路及び第２の通路の存在によって、排出された体液が、吸収体２４ｍの上下方向及び左右方向の全体にわたって素早く、均一に分配・拡散・吸収されるため、吸収体２４ｍの吸収能力を効果的に利用することができる。
【００７３】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００７４】
本発明の吸収体物品は、紙おむつ（子供用及び大人用）、失禁用品、トレーニングパンツ、女性用生理用品等に好適に用いられる。
【図１】
2015226706.tif 000003
【図２】
2015226706.tif 000004
【図３】
2015226706.tif 000005
【図４】
2015226706.tif 000006
【図５】
2015226706.tif 000007
【図６】
2015226706.tif 000008
【図７】
2015226706.tif 000009
【図８】
2015226706.tif 000010
【図９】
2015226706.tif 000011
【図１０】
2015226706.tif 000012
【図１１】
2015226706.tif 000013
【図１２】
2015226706.tif 000014